(57)【要約】【課題】ラインアイとしてクローズドアイ型のものを採用したとしても、キャスティング時にラインアイに絡まったラインがワイヤによって切断されず、集魚部材の振動によってルアー全体が大きく振動し、かつ、高いフッキング率を有するルアーを提供する。【解決手段】ラインアイから後方に向かって二股状に伸びる上方アームと下方アームとを有するルアーにおいて、上方アームに集魚部材を取り付け、下方アームの下端にウエイトを介して後方へ伸びるフックを固定し、上方アームと下方アーム又はウエイトとの間に補助部材を架け渡し、補助部材の一端側を下方アーム又はウエイトに固定すると共に補助部材の他端側を上方アームに連結した状態で両アームがラインアイとの接続部を基点として撓むことができるようにする。【選択図】  図１
2015039329.tif 000002
【特許請求の範囲】
【請求項１】
ラインアイから後方に向かって二股状に伸びる上方アームと下方アームとを有するルアーであって、上方アームに集魚部材が取り付けられており、下方アームの下端にウエイトを介して後方へ伸びるフックが固定されており、上方アームと下方アーム又はウエイトとの間に補助部材が架け渡されており、補助部材の一端側が下方アーム又はウエイトに固定されると共に補助部材の他端側が上方アームに連結された状態で両アームがラインアイとの接続部を基点として撓むことができることを特徴とするルアー。
【請求項２】
補助部材が上方アームの集魚部材よりも下方側に連結されている請求項１記載のルアー。
【請求項３】
補助部材の他端側にガイド孔を有するリング部が形成されており、補助部材の他端側が上方アームをリング部のガイド孔に通して連結されており、上方アームがガイド孔内を移動することによって両アームがラインナアイの接続部を基点として撓む請求項１又は２のいずれかに記載のルアー。
【請求項４】
リング部のガイド孔が補助部材の長手方向に伸びる形状になっている請求項３記載のルアー。
【請求項５】
ラインアイから後方に向かって二股状に伸びる上方アームと下方アームとを有するルアーであって、上方アームと下方アームとの間に補助部材が架け渡されており、一方側のアームが補助部材に固定されていると共に他方側のアームが補助部材に連結された状態で両アームがラインアイとの接続部を基点として撓むことができることを特徴とするルアー。
【発明の詳細な説明】
【技術分野】
【０００１】
本発明は、ルアーに関するものである。
【背景技術】
【０００２】
周知のとおり、ブラックバスなどのフィッシュイーターを対象魚としたルアーフィッシングに使用されるルアーには、ライン（釣糸）を結び付けるラインアイから後方に向かって二股状に伸びる上方アームと下方アームとを有し、いずれかのアームに集魚部材、ウエイト及びフックなどを取り付けたルアーがある。
【０００３】
そして、前記ルアーの中でも、上方アームに集魚部材を取り付けると共に下方アームの下端にウエイトを介してフックを固定した構成を有するスピナーベイトやバズベイトは、ルアーフィッシングにおいて定番のルアーになっており、多数の改良品が開発されている。
【０００４】
例えば、特許文献１には、略Ｌ字形のシャンクを有するスピナーベイトにおいて、そのＬ字形シャンクの角部内方に略板状の潜行案内部材を設け、潜行案内部材は、それに形成した小孔に、金属線材等よりなるＬ字形シャンクのアッパアームとロアアームとを挿通することによって該シャンクにずれないように取付け支持させたものが開示されている。
【０００５】
ところで、前記ルアーは、キャスティング時の空中姿勢が安定せず、ラインがラインアイから後方に伸びる両アームとの間に回り込んでラインが絡まってしまうという欠点があり、特に、ラインアイとしてワイヤを捻ってリング状に成形してなるクローズドアイ型のものを採用した場合には、ワイヤを捻って交差させた部分に両アームの間に回り込んだラインが挟まって切断されてしまうという問題点を有していた。
【０００６】
この点、特許文献１に開示されたスピナーベイトにおいては、L字形シャンクのアッパアームとロアアームとの間を跨ぐように潜行案内部材が取り付けられているため、ラインがアッパアームとロアアームとの間に回り込むように絡まったとしても、ラインが潜行案内部材に引っ掛かってクローズドアイに達することがなく、ワイヤを捻って交差させた部分にラインが挟まってラインが切断されることはない。
【先行技術文献】
【特許文献】
【０００７】
【特許文献１】特開平８−１０３１９３号公報
【発明の概要】
【発明が解決しようとする課題】
【０００８】
一方、前記ルアーは、集魚部材の回転によって生じる振動をラインアイから伸びる上方アームの撓みによって増幅し、ルアー全体を大きく振動させて集魚効果を向上させる構造になっているため、上方アームの全長が長いほどルアー全体の振動が大きくなり、対象魚に対して存在を強くアピールすることができるが、前記特許文献１に開示されたスピナーベイトにおいては、アッパアーム及びロアアームに対して潜行案内部材がずれないように取り付けられていることから、アッパアームが潜行案内部材よりも上方に位置する一部でしか撓まず、集魚部材の回転によって生じる振動がアッパアームによって大きく増幅されず、ルアー全体の振動が小さくなり、対象魚に対して強くアピールできないという問題点があった。
【０００９】
また、前記特許文献１に開示されたスピナーベイトにおいては、アッパアームが潜行案内部材よりも上方に位置する一部しか撓まないことから、対象魚が食い付いた際に、アッパアームの撓みに対する抗力が大きく、また、両アームの可撓範囲が小さくなり、対象魚のフッキング率が格段に低下するという問題点があった。
【００１０】
そこで、本発明者は、ラインアイとしてクローズドアイ型のものを採用したとしても、キャスティング時にラインアイに絡まったラインがワイヤによって切断されず、集魚部材の振動によってルアー全体が大きく振動し、かつ、高いフッキング率を有するルアーを得ることを技術的課題として、その具現化をはかるべく、試行錯誤的に試作・実験を重ねた結果、ラインアイから後方に向かって二股状に伸びる上方アームと下方アームとを有するルアーにおいて、上方アームに集魚部材を取り付け、下方アームの下端にウエイトを介して後方へ伸びるフックを固定し、上方アームと下方アーム又はウエイトとの間に補助部材を架け渡し、補助部材の一端側を下方アーム又はウエイトに固定すると共に補助部材の他端側を上方アームに連結した状態で両アームがラインアイとの接続部を基点として撓むことができるようにすれば、キャスティング時にラインアイに絡まったラインがワイヤによって切断されず、集魚部材の振動によってルアー全体が大きく振動し、かつ、高いフッキング率を有するルアーを得ることができるという刮目すべき知見を得、前記技術的課題を達成したものである。
【課題を解決するための手段】
【００１１】
前記技術的課題は、次の通りの本発明によって解決できる。
【００１２】
すなわち、本発明における請求項１に係るルアーは、ラインアイから後方に向かって二股状に伸びる上方アームと下方アームとを有するルアーであって、上方アームに集魚部材が取り付けられており、下方アームの下端にウエイトを介して後方へ伸びるフックが固定されており、上方アームと下方アーム又はウエイトとの間に補助部材が架け渡されており、補助部材の一端側が下方アーム又はウエイトに固定されると共に補助部材の他端側が上方アームに連結された状態で両アームがラインアイとの接続部を基点として撓むことができるものである。
【００１３】
また、本発明の請求項２に係るルアーは、前記請求項１に係るルアーにおいて、補助部材が上方アームの集魚部材よりも下方側に連結されているものである。
【００１４】
また、本発明の請求項３に係るルアーは、前記請求項１又は２に係るルアーにおいて、補助部材の他端側にガイド孔を有するリング部が形成されており、補助部材の他端側が上方アームをリング部のガイド孔に通して連結されており、上方アームがガイド孔内を移動することによって両アームがラインナアイの接続部を基点として撓むものである。
【００１５】
また、本発明の請求項４に係るルアーは、前記請求項３に係るルアーにおいて、リング部のガイド孔が補助部材の長手方向に伸びる形状になっているものである。
【００１６】
また、本発明の請求項５に係るルアーは、ラインアイから後方に向かって二股状に伸びる上方アームと下方アームとを有するルアーであって、上方アームと下方アームとの間に補助部材が架け渡されており、一方側のアームが補助部材に固定されていると共に他方側のアームが補助部材に連結された状態で両アームがラインアイとの接続部を基点として撓むことができるものである。
【発明の効果】
【００１７】
本発明によれば、上方アームと下方アーム又はウエイトとの間に補助部材を架け渡したので、ラインアイとしてクローズドアイ型のものを採用したとしても、キャスティング時に両アームの間に回り込んだラインが補助部材に引っ掛かってラインアイに達しないため、ラインアイを構成するワイヤに挟まって切断されることがない。また、補助部材が架け渡された状態で両アームがラインアイとの接続部を基点として撓むことができるため、ルアーを泳動させた際に、集魚部材が取り付けられたアームが該集魚部材によって生じる振動を大きく増幅し、ルアー全体を大きく振動させることができ、さらに、対象魚が食い付いた際に、両アームの撓みに対する抗力を小さく維持でき、かつ、両アームの可撓範囲を大きく保持できるため、高いフッキング性能を得ることができる。
【００１８】
従って、本発明の産業上利用性は非常に高いといえる。
【図面の簡単な説明】
【００１９】
【図１】実施の形態１に係るルアーを示した側面図である。
【図２】図１に示すルアーの補助部材のリング部と上方アームとの位置関係を示した説明図である。
【図３】図１に示すルアーの動作を示した側面図である。
【図４】図１に示すウエイトの内部構造を示した断面図である。
【図５】実施の形態２に係るルアーを示した側面図である。
【図６】図４に示すルアーの動作を示した説明図である。
【図７】実施の形態３に係るルアーを示した側面図である。
【図８】図７に示すルアーの補助部材のリング部と上方アームとの位置関係を示した説明図である。
【発明を実施するための形態】
【００２０】
以下、本発明の実施の形態を説明する。
【００２１】
実施の形態１．
【００２２】
本実施の形態に係るルアー１は、図１に示すように、ラインを結び付けるラインアイ２と、ラインアイ２から後方に向かって二股状に広がって伸びる上方アーム３と下方アーム４と、上方アーム３に取り付けられる二つのブレイド５，６（集魚部材）と、下方アーム４の下端にウエイト７を介して固定されるフック８と、上方アーム３とウエイト７との間に架け渡される補助部材９とを備えている。なお、ラインアイ２及び両アーム３，４は、一本の硬質ワイヤから形成されており、硬質ワイヤを捻ってリング状に成形することによってクローズドアイ型のラインアイ２が形成されている。
【００２３】
両ブレイド５，６は、木の葉状に成形された金属板を略球面状に湾曲させて形成されている。そして、一方のブレイド５は、上方アーム３の上端部をリング状に成形してなる連結部１０にスイベル１１を介して連結されている。また、他方のブレイド６は、上方アーム３の中間に取り付けられたU字状の連結具１２を介して連結されている。なお、連結具１２は、上方アーム３に対して両端を回転可能に軸止めされていると共に、上方アーム３に対して上下方向に移動できるようになっており、上方アーム３に対する上方方向の移動は、上方アーム３に対して連結具１２を挟むように間隔を空けて固定された一対のビーズ１３，１４によって規制されている。
【００２４】
ウエイト７は、魚の頭部を模した形状に形成された本体部１５から後方へ伸びるようにラバー１６（図中、一点鎖線で示す。）を装着するための取付部１７が形成されている。そして、ウエイト７は、下方アーム４の下端部とフック８の前端部とを被覆して両部材を連結している。なお、ラバー１６は、ゴムや合成樹脂などからなる線状の軟質部材を束ねたものである。
【００２５】
フック８は、ウエイト７の取付部１７から後方へ伸びる線材を上方に向かってJ字状に湾曲させて形成されており、線材の先端を先鋭に成形することによって針先が形成されている。
【００２６】
補助部材９は、硬質ワイヤによって形成されている。そして、補助部材９は、ウエイト７の本体部１５前端から上方アーム３の他方のブレイド６よりも下方に位置する部分に向かって伸びるように架け渡されている。補助部材９の一端部は、ウエイト７に被覆された状態で該ウエイト７に対して動かないように固定されている。また、補助部材９の他端部には、図２に示すように、長手方向に伸びるガイド孔１８を有するリング部１９が形成されており、補助部材９の他端部は、上方アーム３をリング部１９のガイド孔１８に通した状態で該上方アーム３に連結されている。
【００２７】
リング部１９のガイド孔１８に通された上方アーム３の周囲にはリング部１９との間に遊び空間が設けられており、上方アーム３に対して前方側（両アームの開方向側）に設けられた遊び空間よりも後方側（両アームの閉方向側）に設けられた遊び空間の方が広くなっている。また、リング部１９のガイド孔１８に通された上方アーム３には、リング部１９を挟むように一対のビーズ１４，２０が固定されており、リング部１９よりも上方に位置するビーズ１４は、連結具１２の上方アーム３に対する上方方向への移動を規制するビーズを兼ねている。なお、上方アーム３に固定された一対のビーズ１４，２０の位置によってラインアイ２との接続部を基点とした両アーム３，４の可撓範囲を調節することができる。
【００２８】
次に、本実施の形態に係るルアーの動作を図２及び図３に基づいて説明する。なお、図２及び図３において、上方アームが撓んでいない状態を実線で示し、上方アームが撓んだ状態を点線で示している。また、図３において、両ブレイド及びラバーは省略している。
【００２９】
水中に投下したルアー１を釣竿によって操作して水中を泳動させると、ルアー１は、釣竿から伸びるラインが結び付けられたラインアイ２を先頭にして泳動する。そして、ルアー１が水中を泳動すると、両ブレイド５，６が水流によって翻って振動し、この振動が上方アーム３の撓みによって増幅されてルアー１全体を振動させる。この時、上方アーム３がリング部１９のガイド孔１８に通して補助部材９の他端に連結されており、リング部１９のガイド孔１８に通された上方アーム３の周囲に遊び空間が設けられているため、上方アーム３は、リング部１９に接触しない範囲内でラインアイ２との接続部を基点として小刻みに撓み（図２中、点線にて示す。）、これにより、両ブレイド５，６の振動が大幅に増幅されてルアー１全体が大きく振動する。
【００３０】
また、対象魚がルアー１に食い付くと、図３に示すように、ルアー１を丸呑みした対象魚の閉口動作に伴って両アーム３，４が閉じるように大きく撓む。この時、ガイド孔１８の上方アーム３に対して前方側に設けられた遊び空間よりも後方側に設けられた遊び空間の方が広くなっているため、両アーム３，４がラインアイ２との接続部を基点として大きく撓んで閉じ、これにより、対象魚の閉口動作が阻害されず、高いフッキング性能が得られる。
【００３１】
さらに、水中を泳動させた際に、ルアー１が障害物に引っ掛かるなどして上方アーム３に不用意な外力が加わった場合には、上方アーム３が、ラインアイ２との接続部を基点としてある程度撓むと、リング部１９と接触し、リング部１９との接触部を基点として撓むようになるため、上方アーム３の撓み箇所が一箇所に固定されず、これにより、耐久度が向上する。
【００３２】
ウエイト７に対する下方アーム４、補助部材９及びフック８の固定方法は特に限定されないが、例えば、図４に示すように、下方アーム４の下端部、補助部材９の下端部及びフック８の前端部のそれぞれをリング状に成形して連結部２０，２１，２２を形成し、下方アーム４の連結部２０と補助部材９の連結部２１とを連通するように配置した状態でフック８の連結部２２を両連結部２０，２１に鎖状に連結し、この連結部分をウエイト７によって被覆する固定方法などがある。
【００３３】
なお、本実施の形態においては、リング部のガイド孔に通された上方アームの周囲に遊び空間が形成されるように構成されているが、上方アームの周囲の遊び空間は、少なくとも上方アームに対して両アームの開閉方向に遊び空間が設けられていればよい。
【００３４】
実施の形態２．
【００３５】
本実施の形態は前記実施の形態１における補助部材及びラインアイの変形例である。なお、図５及び図６における図１〜図４と同一符号は、同一又は相当部分を示している。また、図６３において、上方アームが撓んでいない状態を実線で示し、上方アームが撓んだ状態を点線で示しており、両ブレイド及びラバーは省略している。
【００３６】
本実施の形態に係るルアー２３のラインアイ２４は、図５に示すように、ラインアイ２４及び両アーム３，４を構成する一本の硬質ワイヤを捻ることなくＣ字状に成形することによってオープンアイ型に形成されている。
【００３７】
また、本実施の形態に係るルアー２３の補助部材２５は、軟質ワイヤによって形成されている。そして、補助部材２５は、ウエイト７前端から上方アーム３の他方のブレイド６よりも下方側に向けて伸びるように架け渡されている。なお、補助部材２５は、上方アーム３とウエイト７との間に少し弛ませた状態で架け渡される。そして、補助部材２５の一端部は、ウエイト７に被覆された状態で該ウエイト７に対して動かないように固定されている。また、補助部材９の他端は、U字状の連結具２６を介して上方アーム３に連結されている。連結具２６は、上方アーム３に対して回転可能に軸止めされていると共に、上方アーム３に対して上下方向に移動可能になっており、上方アーム３に対する上方方向の移動は、上方アーム３に対して連結具２６を挟むように固定された一対のビーズ１４，２０によって規制されている。
【００３８】
本実施の形態によれば、補助部材２５を軟質ワイヤによって形成し、上方アーム３とウエイト７との間に弛ませた状態で架け渡したので、ルアー２３を水中で泳動させた場合に、上方アーム３のラインアイ２４との接続部を基点とした撓みが補助部材２５によって阻害されず、両ブレイド５，６の振動が上方アーム３によって増幅されてルアー２３全体が大きく振動する。また、対象魚がルアー２３に食い付いた場合にも、ルアー２３を丸呑みした対象魚の閉口に伴って両アーム３，４が上下方向に撓む。この時、補助部材２５が軟質ワイヤで形成されているため、両アーム３．４がラインアイ２との接続部を基点として大きく撓んでも、図６に示すように、上方アーム３とウエイト７との間に架け渡された補助部材２５の弛みが増すだけで、上方アーム３のラインアイ２４との接続部を基点とした撓みが補助部材２５によって阻害されない。さらに、上方アーム３に不用意な外力が加わった場合には、上方アーム３が、ラインアイ２との接続部を基点としてある程度撓むと、補助部材２５は張った状態となり、補助部材２５との連結部を基点として撓むようになるため、上方アーム３の撓み箇所が一箇所に固定されず、これにより、耐久度が向上する。
【００３９】
実施の形態３．
【００４０】
本実施の形態に係るルアー２７は、図７に示すように、ラインを結び付けるラインアイ２８と、ラインアイ２８から後方に向かって二股状に広がって伸びる上方アーム２９と下方アーム３０と、両アーム２９，３０に取り付けられる集魚部材３１，３２と、両アーム２９，３０に架け渡される補助部材３３と備えている。なお、ラインアイ２８及び両アーム２９，３０は、一本の硬質ワイヤから形成されており、硬質ワイヤを捻ってリング状に成形することによってクローズドアイ型のラインアイが形成されている。
【００４１】
集魚部材３１，３２は、魚の形状を模したプラグ３４，３５の後端にフック３６，３７が連結されており、プラグ３４，３５の前端が両アーム２９，３０の先端をリング状に形成してなる連結部３８，３９に連結環４０，４１を介して連結されている。
【００４２】
補助部材３３は、硬質ワイヤによって形成されている。そして、補助部材３３は、上方アーム２９の中間位置から下方アーム３０の中間位置に向かって伸びるように架け渡されている。補助部材３３の一端部は、上方アーム２９に対して動かないように固定されている。また、補助部材３３の他端部には、図８に示すように、長手方向に伸びるガイド孔４２を有するリング部４３が形成されており、補助部材３３の他端部は、下方アーム３０をリング部４３のガイド孔４２に通した状態で該下方アーム３０に連結されている。
【００４３】
また、リング部４３のガイド孔４２に通された下方アーム３０の周囲にはリング部４３との間に遊び空間が設けられており、下方アーム３０に対して下方側に設けられた遊び空間よりも上方側に設けられた遊び空間の方が広くなっている。
【００４４】
本実施の形態に係るルアーにおいても、両アームがラインアイとの接続部を基点として撓むことができるため、前記実施の形態１に係るルアーと同様の作用効果を得ることができる。
【００４５】
なお、前記実施の形態１及び２においては、上方アームとウエイトとの間に補助部材を架け渡しているが、両アームの間に補助部材を架け渡してもよい。
【００４６】
また、前記実施の形態１及び２に係るルアーは、スピナーベイトであるが、上方アームにプロペラを取り付けたバスベイトであってもよい。
【符号の説明】
【００４７】
１  ルアー
２  ラインアイ
３  上方アーム
４  下方アーム
５，６  ブレイド
７  ウエイト
８  フック
９  補助部材
１０  連結部
１１  スイベル
１２  連結具
１３，１４  ビーズ
１５  本体部
１６  ラバー
１７  取付部
１８  ガイド孔
１９  リング部
２０，２１，２２  連結部
２３  ルアー
２４  ラインアイ
２５  補助部材
２６  連結具
２７  ルアー
２８  ラインアイ
２９  上方アーム
３０  下方アーム
３１，３２  集魚部材
３３  補助部材
３４，３５  プラグ
３６，３７  フック
３８，３９  連結部
４０，４１  連結環
４２  ガイド孔
４３  リング部
【図１】
2015039329.tif 000003
【図２】
2015039329.tif 000004
【図３】
2015039329.tif 000005
【図４】
2015039329.tif 000006
【図５】
2015039329.tif 000007
【図６】
2015039329.tif 000008
【図７】
2015039329.tif 000009
【図８】
2015039329.tif 000010